(57)【特許請求の範囲】
【請求項１】
鶏糞、家畜糞、又は食物廃棄物の含水有機廃棄物と木屑の破砕物を燃料として、燃料混合供給部と燃焼部と送風機付熱交換部と熱交換機付排気ガス処理部とからなる熱風発生装置において、ホッパー付スクリュー式フィーダーの上段の撹拌付ホッパーに有機廃棄物と木屑の破砕物を投入して十分に混合して、順次下段に移載しながら二段式スクリューフィーダーに進行させる燃料混合供給部と、破砕状にして供給量を調節できるようにして、前記燃料を円筒状の燃焼部の中段位から投入し、空気吹き込み口を複数個に設けて、燃焼部内の空気流を内壁に沿ってラセン状に上昇するようにして、燃焼の促進箇所にさらに空気吹き込み口を設けて、燃焼を完成させる燃焼部と、前記の燃焼ガスを熱交換機に送り、熱交換パイプ付交差式交換機内部には空気ブロワーから空気を送風して、燃焼ガスの熱交換を二段に行なって高温の熱風を発生させる送風付熱交換部と、前記熱交換された排気ガスは、熱交換機付きマルチサイクロン内で集塵処理して煙突にて排出する交換機付排気ガス処理部と、前記熱交換器で得られた熱風を有効利用するための送風機能付の熱風発生部とからなっていることを特徴とする木屑と有機廃棄物を燃料とする熱風発生装置
【請求項２】
燃料は鶏糞、家畜糞、又は食物廃棄物の含水有機廃棄物と木屑の破砕物との混合物であって、水分を１０〜４０重量％含有する有機性廃棄物と廃材、間伐材の０．０５ｍｍ〜１０ｍｍの木屑である混合物での含水有機廃棄物の混合比率を１０〜６０容積％であることを特徴とする請求項１の記載の木屑と有機廃棄物を燃料とする熱風発生装置
【請求項３】
燃料混合供給部は、鶏糞、家畜糞、又は食物廃棄物の含水有機廃棄物と木屑の破砕物との燃料それぞれをホッパーに投入して、当該ホッパーの下部に設置された回転羽付横型撹拌機によって十分に混合して、二段式スクリューフィーダーの上段に移載して、順次下段に移載しながら燃焼部に適量調節的に供給できるようになっている二段のスクリューフィーダーになっていることを特徴とする請求項１の記載の木屑と有機廃棄物を燃料とする熱風発生装置
【請求項４】
燃焼部は、円筒状で内寸５００ｍｍ〜１５００ｍｍ、外寸９００ｍｍ〜２０００ｍｍで、高さ１５００ｍｍ〜３０００ｍｍであり、燃焼効率を高めるために、燃料を空気流とともに内壁に沿ってラセン状に上昇させるために、円筒状燃焼部の縦方向に４〜１０箇所の空気吹き込み口を設置して、燃料の投入口の下位での各高さ位には４〜８箇所に空気吹き込みノズルを取り付けて、その空気風速を５０ｍ／秒〜１００ｍ／秒で、ノズルの方向を中心点に対して１５〜３５°の角度にして、さらに燃料投入口の直下には燃料の空気による攪拌のために空気吹き込みノズルを２〜３箇所取り付けており、燃料投入口の上位での各高さ位にも４〜８箇所に空気吹き込みノズルを取り付けて、ノズルの方向を中心点に直角にしていることを特徴とする請求項１の記載の木屑と有機廃棄物を燃料とする熱風発生装置
【請求項５】
送風付熱交換部は、燃焼ガスの流路を調節できるように交換機のパイプの位置を配して燃焼ガスを空気との熱交換を行なうために、５０〜１５０ｍｍ径の金属パイプ付交換器を並列にパイプを空間容積で２０％〜６０％縦型に取り付けて、交換機の内部には空気ブロワーから空気を１０ｍ３／分〜２００ｍ３／分の流速で送風して、２００℃〜５００℃温度の熱風にすることを特徴とする木屑と有機廃棄物を燃料とする請求項１の記載の熱風発生装置
【発明の詳細な説明】
【技術分野】
【０００１】
本発明は、鶏糞、家畜糞、食物廃棄物などの含水有機廃棄物と廃材、間伐材の木屑の破砕物を燃料として、前記燃料を使用して乾燥−燃焼処理できる熱風発生装置で、燃料混合供給部と燃焼部と送風機付熱交換部と排気ガス処理部と熱風発生部を含んでいる木屑と有機廃棄物を燃料とする熱風発生装置に関する。
【背景技術】
【０００２】
従来より、鶏糞、家畜糞、家庭ゴミなどその他の含水有機廃棄処理物を乾燥処理する外熱式の乾燥炉や焼却炉が知られている。また、乾燥炉と焼却炉を組み合わせて、焼却炉の燃焼排ガスを乾燥炭化炉の熱源として利用する提案もあった。（例えば、特許文献１、２、３を参照。）
【０００３】
水分の多い家畜糞は、外熱式のロータリーキルンによって、乾燥処理の最終工程で水蒸気を除去して炭化物にするとしている。（特許文献３参照）
牛糞などの水分の多い家畜糞を乾燥して、燃料、肥料にしている提案が多数あるが（特許文献４〜７参照）、水分除去した後、燃料として熱風を発生させる装置の提案は少ない。
【０００４】
【特許文献１】特開平５−１６４３１４号公報
【特許文献２】特開平６−１５９６３５号公報
【特許文献３】特開２００２−３５６３１９号公報
【特許文献４】特開２００７−３２１１２１号公報
【特許文献５】特開２００７−１７０７０１号公報
【特許文献６】特開２００７−６９０７９号公報
【特許文献７】特開２００６−２５０４６０号公報
【発明の開示】
【発明が解決しようとする課題】
【０００５】
鶏糞、家畜糞、家庭ゴミなどその他の含水有機廃棄処理物を乾燥処理する先願装置における熱利用と用途利用の形態には改善の余地がある。とくに牛糞の処理については数量的、臭い除去、水分量から有効処理方法と装置に問題を残している。
【０００６】
また、従来装置は、水分が多くて、また粘性も高いので、処理に多大な化石燃料の費用を要している。鶏糞、家畜糞、家庭ゴミなどその他の含水有機廃棄処理物を乾燥して、燃料、肥料に利用を検討されているが、十分な方法、装置は提供されていない。
【０００７】
こうしたなかで本発明者は、より一層の省資源化と無公害化（環境保全）に寄与するために、系内で乾燥して、燃料としての熱源を循環させながら牛糞の家畜糞など含水有機廃棄処理物を燃料、肥料に生成するためのシステム開発をおこなってきた。
【０００８】
本発明はこのような事情に鑑みなされたものであって、上記課題を解消し、熱風発生器と攪拌式の乾燥炉との間に循環系統を配設して、系内で乾燥した家畜糞を燃料とした熱源を循環させながら含水有機廃棄処理物の燃焼処理方法及び燃焼処理装置による熱風発生装置を提供するものである。
【課題を解決するための手段】
【０００９】
課題を解決するために本発明は、鶏糞、家畜糞、食物廃棄物などの含水有機廃棄物と木屑の破砕物を燃料として、乾燥−燃焼処理による熱風発生装置において、燃料混合供給部と燃焼部と送風機付熱交換部と交換機付排気ガス処理部と熱風発生部からなる木屑と有機廃棄物を燃料とする熱風発生装置である。
【００１０】
本発明で、ホッパー付スクリュー式フィーダーの上段の撹拌付ホッパーに有機廃棄物と木屑の破砕物を投入して十分に混合して、順次下段に移載しながら二段式スクリューフィーダーに進行させる燃料混合供給部と、前記燃料を円筒状の燃焼部の中段位から投入し、空気吹き込み口を複数個に設けて、燃焼部内の空気流を内壁に沿ってラセン状に上昇するようにして、燃焼の促進箇所にさらに空気吹き込み口を設けて、燃焼を完成させる燃焼部と、前記の燃焼ガスを熱交換機に送り、熱交換パイプ付交差式交換機内部には空気ブロワーから空気を送風して、熱交換を行なって高温の熱風を発生させる送風付熱交換部と、前記熱交換された排気ガスは、集塵処理して煙突にて排出する交換機付排気ガス処理部と、得られた熱風を有効利用するための送風機能付の熱風発生部からなっている。
【００１１】
本発明で、燃料は鶏糞、家畜糞、食物廃棄物などの含水有機廃棄物と木屑の破砕物との混合物であって、水分を10〜40重量％含有する有機廃棄物と廃材、間伐材の0.05ｍｍ〜10ｍｍの木屑である混合物での含水有機廃棄物の混合比率を10〜60容積％である木屑と有機廃棄物を燃料とする熱風発生装置である。
【００１２】
燃料混合供給部は、鶏糞、家畜糞、食物廃棄物などの含水有機廃棄物と木屑の破砕物との燃料それぞれをホッパーに投入して、当該ホッパーの下部に設置された回転羽付横型撹拌機によって十分に混合して、二段式スクリューフィーダーの上段に移載して、順次下段に移載しながら二段のスクリューフィーダーで進行させて燃焼部に供給できるようになっている。
【００１３】
本発明で、燃焼部は円筒状で内寸500ｍｍ〜1500ｍｍ、外寸900ｍｍ〜2000ｍｍで、高さ1500ｍｍ〜3000ｍｍであり、燃焼効率を高めるために、燃料を空気流とともに内壁に沿ってラセン状に上昇させるために、円筒状燃焼部の縦方向に4〜10箇所の空気吹き込み口を設置して、燃料の投入口の下位での各高さ位には4〜8箇所に空気吹き込みノズルを取り付けて、その空気風速を50ｍ／秒〜100ｍ／秒で、ノズルの方向を中心点に対して15〜35°の角度にして、さらに燃料投入口の直下には燃料の空気による攪拌のために空気吹き込みノズルを2〜3箇所取り付けており、燃料投入口の上位での各高さ位にも4〜8箇所に空気吹き込みノズルを取り付けて、ノズルの方向を中心点に直角にしている。
【００１４】
本発明で、送風付熱交換部は、燃焼ガスを空気との熱交換するために、50〜150ｍｍ径の金属パイプ付交換器を並列にパイプを空間容積で20％〜60％縦型に取り付けて、交換機の内部には空気ブロワーから空気を10ｍ３/分〜200ｍ３/分の風量で送風して、熱交換を行なって200℃〜500℃高温の熱風を発生させる。
【００１５】
本発明で、熱交換機排気ガス処理部は、送風付熱交換機から排出された燃焼排ガス中の粉塵を回収する熱交換機付マルチサイクロン式集塵器で塵の除去として、煙突にて排出する木屑と有機廃棄物を燃料とする熱風発生装置である。
【発明の効果】
【００１６】
本発明は以上の構成よりなるものであり、鶏糞、家畜糞、食物廃棄物などの含水有機廃棄物と木屑の破砕物を燃料として、これによれば熱源循環機構と排熱回収機構とを有しているので、より一層の省資源化と無公害化の推進が図れる。しかも、二次利用可能な含水有機廃棄物、とくに家畜糞を同時的に燃料と肥料として資源回収できるので産業上の利用価値が大きい。発生する熱源は、乾燥機や、ビニールハウスなどの温室に熱源として使用できるものである。
【発明を実施するための最良の形態】
【００１７】
本発明の実施の形態について図面を参照して以下説明する。
【００１８】
図１に本発明装置の系統図を示すように、燃料混合供給部と燃焼部と熱交換部と熱交換機付排気ガス処理部を備えた熱風発生装置である。
まず有機廃棄物と木屑の破砕物を図１の１  に示すようなホッパー付スクリュー式フィーダーの上段の撹拌付ホッパーに投入して十分に混合して、燃料としての有機廃棄物と木屑の混合物を順次下段に移載しながら、二段式スクリューフィーダーに進行させる燃料供給する。
前記供給された燃料を図１の５  に示すように円筒状の燃焼部の中段位から投入し、空気吹き込み口を複数個に設けて、燃焼部内の空気流を内壁に沿ってラセン状に上昇するようにして、燃焼の促進箇所にさらに空気吹き込み口を設けて、燃焼を完成させる。
前記の燃焼ガスを図１の６  に示すようにパイプ状熱交換器に送り、熱交換パイプ付交差式交換機内部には空気ブロワーから空気を送風して、燃焼ガスの熱交換を行なって高温の熱風を発生させる。一方前記熱交換された排気ガスは、熱交換機付マルチサイクロン式集塵器内で塵を処理して煙突にて排出する。前記熱交換器で得られた熱風を有効利用するための送風機能付の熱風発生部とからなっている・。
【実施例１】
【００１９】
水分30％程度の乾燥された牛糞240ｋｇと製材所から排出された0.1〜7ｍｍ程度に粉砕された木屑240ｋｇと1対１の重量比で2ｍ３のサイロ（ホッパー）に一回分として投入された。ホッパー付スクリュー式フィーダー（直径750ｍｍで、長さ1670ｍｍ）の上段の撹拌付ホッパーに投入して十分に混合して、さらに混合を十分に行なうために二段目の下段のスクリューフーダー（直径120ｍｍで、長さ2395ｍｍ）に落下させて燃焼室に供給される。直径120ｍｍで、長さ2395ｍｍの下段スクリューフィーダーによって燃焼室に定量的に供給される。
【００２０】
牛糞と木屑の混合物の供給量は約1ｋｇ／分であり、燃焼機の燃焼室内として円筒状であって下部から500ｍｍのところに燃料投入口される。燃焼機は高さ2100ｍｍ、半径500ｍｍの円筒状で、燃焼室内は内径600ｍｍで。高さ2000ｍｍで、内部に燃料を空気流とともに内壁に沿ってラセン状に上昇させるために、円筒状燃焼部の縦方向に8箇所の空気吹き込み口を設置して、燃料の投入口の下位での各高さ位には6箇所に空気吹き込みノズルを取り付けて、空気供給ファンによって、全体の空気風速を50ｍ／秒で送風して、下部の空気供給のノズルは内径10ｍｍのパイプであって、下部の各ノズルの方向を燃焼室の中心点に対して30°の角度にして、さらに燃料投入口の直下には空気吹き込みノズルを3箇所取り付けており、燃料投入口の上位での各高さ位にも3箇所に同様な形状の空気吹き込みノズルを取り付けて、ノズルの角度、方向を中心点に直角にしている。
【００２１】
図１の14に示すようにこの出口の燃焼室出口温度は880℃〜1000℃であった。この燃焼ガスを幅600ｍｍ、長さ1200ｍｍ、高さ1306ｍｍの熱交換機に送られた。この熱交換機は熱交換面積を11.3ｍ２であって、ブロワーで送風する空気が熱交換するとき、流風が蛇行するようにして熱交換の効率を高めた。そのために交換器の内部に仕切り板を8枚入れた。また空気との熱交換するために、76ｍｍ径の金属パイプを32本並列にして、パイプを空間容積で20％縦型に取り付けて、交換機の内部には空気ブロワーから空気を35ｍ３/分の風量で送風して、熱交換を行なって350℃高温の熱風を発生させる。
【００２２】
さらに熱交換された燃焼排ガスは熱交換面積を2.53ｍ２である熱交換機付マルチサイクロンの集塵機に送って、ごみ、塵などを回収して排出した。集塵機の排出時の温度は110℃程度であった。白煙も臭いもない排気ガスであった。このように350℃付近の熱風を35ｍ３／分で取り出すことが出来た。この温度を連続して取り出すことができた。この熱風は温室とか他の暖房、乾燥に使用することができた。
【００２３】
図６に詳細な燃焼装置の概要を示すが、この装置により牛糞の混合燃料を使用することができて、当該装置の炉内での燃焼温度が連続的に１３００℃〜１４００℃の範囲に達成できた。これにより水分３０％程度の乾燥された牛糞に木屑を混合させることによって燃焼できる装置（炉）になった。
【００２４】
本実施例での燃焼状況を示した図が図７である。この図は燃焼装置で、図１の14の示す燃焼室出口での温度曲線と図1の15の示す熱交換出口での温度曲線を示した。燃焼室出口での温度は９００〜１０００℃であって、熱交換出口での温度は３００〜３５０℃であった。この温度を連続して取り出すことが可能であった。
【実施例２】
【００２５】
実施例１と燃料の比率の違いを示したものである
水分30％程度の乾燥された牛糞８0ｋｇと製材所から排出された0.1〜7ｍｍ程度に粉砕された木屑１２0ｋｇと0.4対0.6の重量比で2ｍ２のサイロ（ホッパー）に一回分として投入された。ホッパー付スクリュー式フィーダー（直径750ｍｍで、長さ1670ｍｍ）の上段の撹拌付ホッパーに投入して十分に混合して、さらに混合を十分に行なうために二段目の下段のスクリューフィーダー（直径120ｍｍで、長さ2395ｍｍ）に落下させて燃焼室に供給される。直径120ｍｍで、長さ2395ｍｍの下段スクリューフィーダーによって燃焼室に定量的に供給される。
【００２６】
牛糞と木屑の混合物の供給量は約１ｋｇ／分であり、燃焼機の燃焼室内として円筒状であって下部から500ｍｍのところに燃料投入口される。燃焼機は高さ2100ｍｍ、半径500ｍｍの円筒状で、燃焼室内は内径600ｍｍで。高さ2000ｍｍで、内部に燃料を空気流とともに内壁に沿ってラセン状に上昇させるために、円筒状燃焼部の縦方向に８箇所の空気吹き込み口を設置して、燃料の投入口の下位での各高さ位には６箇所に空気吹き込みノズルを取り付けて、空気供給ファンによって、全体の空気風速を50ｍ／秒で送風して、下部の空気供給のノズルは内径10ｍｍのパイプであって、下部の各ノズルの方向を燃焼室の中心点に対して30°の角度にして、さらに燃料投入口の直下には空気吹き込みノズルを３箇所取り付けており、燃料投入口の上位での各高さ位にも３箇所に同様な形状の空気吹き込みノズルを取り付けて、ノズルの角度、方向を中心点に直角にしている。
【００２７】
図１の14に示すようにこの出口の燃焼温度は1200℃〜1250℃であった。この燃焼ガスを幅600ｍｍ、長さ1200ｍｍ、高さ1316ｍｍの熱交換機に送られた。この熱交換機は熱交換面積を１１．３ｍ２であって、ブロワーで送風する空気が熱交換するとき、流風が蛇行するようにして熱交換の効率を高めた。そのために交換器の内部に仕切り板を8枚入れた。また空気との熱交換するために、76ｍｍ径の金属パイプを32本並列にして、パイプを空間容積で20％縦型に取り付けて、交換機の内部には空気ブロワーから空気を３５ｍ３/分の風量で送風して、熱交換を行なって350℃高温の熱風を発生させる。
【００２８】
さらに熱交換された燃焼排ガスは熱交換面積を2.53ｍ２である熱交換機付マルチサイクロンの集塵機に送って、ごみ、塵などを回収して排出した。集塵機の排出時の温度は110℃程度であった。白煙も臭いもない排気ガスであった。このように380℃付近の熱風を35ｍ３／分で取り出すことが出来た。この温度を連続して取り出すことができた。この熱風は温室とか他の暖房、乾燥に使用することができた。
【実施例３】
【００２９】
実施例１の燃焼室の構造を変えたものである。
水分30％程度の乾燥された牛糞300ｋｇと製材所から排出された0.1〜7ｍｍ程度に粉砕された木屑300ｋｇと1対１の重量比で2ｍ３のサイロ（ホッパー）に一回分として投入された。ホッパー付スクリュー式フィーダー（直径750ｍｍで、長さ1670ｍｍ）の上段の撹拌付ホッパーに投入して十分に混合して、さらに混合を十分に行なうために二段目の下段のスクリューフィーダー（直径120ｍｍで、長さ2395ｍｍ）に落下させて燃焼室に供給される。直径120ｍｍで、長さ2395ｍｍの下段スクリューフィーダーによって燃焼室に定量的に供給される。
【００３０】
牛糞と木屑の混合物の供給量は約2.8ｋｇ／分であり、燃焼機の燃焼室内として円筒状であって下部から500ｍｍのところに燃料投入口される。燃焼機は高さ2100ｍｍ、半径750ｍｍの円筒状で、燃焼室内は内径1000ｍｍで。高さ2000ｍｍで、内部に燃料を空気流とともに内壁に沿ってラセン状に上昇させるために、円筒状燃焼部の縦方向に８箇所の空気吹き込み口を設置して、燃料の投入口の下位での各高さ位には6箇所に空気吹き込みノズルを取り付けて、空気供給ファンによって、全体の空気風速を50ｍ／秒で、風量105ｍ３／分で送風して、下部の空気供給のノズルは内径10ｍｍのパイプであって、下部の各ノズルの方向を燃焼室の中心点に対して30°の角度にして、さらに燃料投入口の直下には空気吹き込みノズルを３箇所取り付けており、燃料投入口の上位での各高さ位にも3箇所に同様な形状の空気吹き込みノズルを取り付けて、ノズルの角度、方向を中心点に直角にしている。
【００３１】
図１の14に示すようにこの出口の燃焼温度は1100℃〜1200℃であった。この燃焼ガスを幅1000ｍｍ、長さ2000ｍｍ、高さ1316ｍｍの熱交換機に送られた。この熱交換機は熱交換面積を31.6ｍ２であって、ブロワーで送風する空気が熱交換するとき、流風が蛇行するようにして熱交換の効率を高めた。そのために交換器の内部に仕切り板を8枚入れた。また空気との熱交換するために、101ｍｍ径の金属パイプを72本並列にして、パイプを空間容積29％で縦型に取り付けて、交換機の内部には空気ブロワーから空気を105ｍ３/分の風量で送風して、熱交換を行なって350℃高温の熱風を発生させる。さらに熱交換された燃焼排ガスは熱交換面積を7ｍ２である熱交換機付マルチサイクロンの集塵機に送って、ごみ、塵などを回収して排出した。集塵機の排出時の温度は110℃程度であった。また白煙も臭いもない排気ガスであった。このように350℃付近の熱風を105ｍ３／分で取り出すことが出来た。この温度を連続して取り出すことができた。この熱風は温室とか他の暖房、乾燥に使用することができた。     
「比較例１」
【００３２】
水分30％程度の乾燥された牛糞280ｋｇと製材所から排出された0.1〜7ｍｍ程度に粉砕された木屑280ｋｇと1対1の重量比で2ｍ３のサイロ（ホッパー）に一回分として投入した。ホッパー付スクリュー式フィーダー（直径750ｍｍで、長さ1670ｍｍ）の上段の撹拌付ホッパーに投入して十分に混合して、さらに混合を十分に行なうために二段目の下段のスクリューフィーダー（直径120ｍｍで、長さ2395ｍｍ）に落下させて燃焼室に供給される。（直径120ｍｍで、長さ2395ｍｍ）の下段スクリューフィーダーによってさらに落下させ(直径120ｍｍで、長さ992ｍｍ)のスクリューで燃焼室へ上に向かい供給される。燃焼室に定量的に供給され、牛糞と木屑の混合物の供給量は約１ｋｇ／分である。
【００３３】
燃焼機は二重構造であり、直径702ｍｍの円筒状の中に直径596ｍｍの燃焼室がある。燃焼機は高さ2094ｍｍ、半径351ｍｍの円筒状で、燃焼室内は内径596ｍｍで。高さ1500ｍｍで、内部中心から燃料が下から出て、空気流とともに外壁と内壁に沿ってラセン状に上昇させ、内円筒状に20ｍｍ×50ｍｍの楕円形の穴が8箇所ある為るために、燃焼中心部にラセン状に上昇させる。空気供給ファンによって、全体の空気風速を50ｍ３／秒で送風して、下部の空気供給口は100ｍｍ×100ｍｍの角ダクトから供給する。
【００３４】
図４の１4  に示すようにこの出口の燃焼温度は600℃〜700℃であった。十分な熱量をとることができなかった。熱交換を通した場合３００℃以上の熱風を取り出すことができなかった。
「比較例２」
【００３５】
比較例１で、燃焼温度を十分に取れないために、製材所から排出された0.1〜7ｍｍ程度に粉砕された木屑560ｋｇのみを2ｍ３のサイロ（ホッパー）に一回分として投入した。
【００３６】
図４の14  に示すようにこの出口の燃焼温度は1000℃〜1100℃であった。この燃焼ガスを幅600ｍｍ、長さ1200ｍｍ、高さ1316ｍｍの熱交換機に送られた。この熱交換機は熱交換面積を11.3ｍ２であって、ブロワーで送風する空気が熱交換するとき、流風が蛇行するようにして熱交換の効率を高めた。そのために交換器の内部に仕切り板を8枚入れた。また空気との熱交換するために、76ｍｍ径の金属パイプ付交換器を32本並列にして、パイプを空間容積で20％縦型に取り付けて、交換機の内部には空気ブロワーから空気を35ｍ３/分の風量で送風して、熱交換を行なって350℃高温の熱風を発生させる。さらに熱交換された燃焼排ガスは熱交換面積を2.53ｍ２である熱交換機付マルチサイクロンの集塵機に送って、ごみ、塵などを回収して排出した。
【００３７】
集塵機の排出時の温度は110℃程度であった。白煙も臭いもない排気ガスであった。このように350℃付近の熱風を35ｍ３／分で取り出すことが出来た。この温度を連続して取り出すことができた。しかし燃料としての牛糞の使用が困難であった。
「比較例３」
【００３８】
実施例１と同様な装置で、木屑を使用せず、水分30％程度の乾燥された牛糞５６０ｋｇ
を使用して、実施例１と土同様な操作で燃焼機に燃料を投入したが、燃焼が不十分で十分な熱量を得ることができなかった。
【図面の簡単な説明】
【００３９】
【図１】熱風発生装置  平面図
【図２】熱風発生装置  正面図
【図３】パイプ付き交換機  (a)平面図  (b)正面図  (ｃ)側面図
【図４】従来の燃焼機  正面図
【図５】マルチサイクロン  (a)平面図  (b)側面図
【図６】熱風発生装置の燃焼室の詳細図  (a)正面図、（ｂ）上部断面図、（ｃ）下部断面図
【図７】燃焼装置出口と熱交換機出口での温度曲線図
【符号の説明】
【００４０】
１    定量器
２    攪拌スクリュー
３    1次スクリュー
４    2次スクリュー
５    燃焼室
６    熱交換機
７    マルチサイクロン
８    排気ファン
９    熱交換用ファン
１０  給気ファン
１１  バーナー
１２  オイルタンク
１３  制御盤
１４  燃焼室出口温度計
１５  熱交換機出口温度計
１６  排熱入口
１７  熱交換用管
１８  間仕切り板
１９  灰出し扉
２０  排熱出口
２１  熱風入口
２２  熱風出口
２３  スチーム出口
２４  温水器
２５  煙道
２６  熱交換機上部外筒
２７  熱交換機上部内筒
２８  燃焼室兼熱交換機外筒
２９  燃焼室兼熱交換内筒
３０  燃料供給口
３１  ケース
３２  着火口
３３  熱交換用ファン給気口
３４  下部エアーノズル
３５  上部エアーノズル
３６  断熱キャスター
３７  空気室
３８  耐火キャスター
【図１】
0004899220.tif 000002
【図２】
0004899220.tif 000003
【図３】
0004899220.tif 000004
【図４】
0004899220.tif 000005
【図５】
0004899220.tif 000006
【図６】
0004899220.tif 000007
【図７】
0004899220.tif 000008